(57)【特許請求の範囲】
【請求項１】
駆動手段によって回転する撹拌羽根を内蔵した生ごみ処理装置であって、回転軸の一端側から中央位置に向けて片側の撹拌羽根を右巻き螺旋状に設けるとともに、回転軸の他端側から中央位置に向けてもう一方の撹拌羽根を左巻き螺旋状に設け、右巻螺旋状の片側の撹拌羽根にバーを設け、左巻螺旋状の他の片側の撹拌羽根にバーを設け、右巻螺旋状の撹拌羽根の回転軸の中央位置側の端部にバーを設けるとともに、左巻螺旋状の撹拌羽根の回転軸の中央位置側の端部にバーを設けて成ることを特徴とする生ごみ処理装置。
【請求項２】
右巻螺旋状の撹拌羽根の回転軸の中央位置側の端部から左巻螺旋状の撹拌羽根までバーを設けるとともに、左巻螺旋状の撹拌羽根の回転軸の中央位置側の端部から右巻螺旋状の撹拌羽根までバーを設けて成ることを特徴とする請求項１記載の生ごみ処理装置。
【請求項３】
右巻螺旋状の撹拌羽根の回転軸の中央位置側の端部及び、回転軸の中央位置側の端部から回転軸の一端方向に進んだ複数の位置にバーを設け、左巻螺旋状の撹拌羽根の回転軸の中央位置側の端部及び、回転軸の中央位置側の端部から回転軸の他端方向に進んだ複数の位置にバーを設けて成ることを特徴とする請求項１記載の生ごみ処理装置。
【請求項４】
右巻螺旋状の撹拌羽根の回転軸の中央位置側の端部及び、回転軸の中央位置側の端部から回転軸の一端方向に進んだ複数の位置にバーを設け、右巻螺旋状の撹拌羽根に設けられた複数のバーの回転軸と平行な延長線上の左巻螺旋状の撹拌羽根位置にそれぞれ複数のバーを設けて成ることを特徴とする請求項１記載の生ごみ処理装置。
【請求項５】
右巻螺旋状の撹拌羽根の回転軸の中央位置側の端部から回転軸側にずれた位置にバーを設け、左巻螺旋状の撹拌羽根の回転軸の中央位置側の端部から回転軸側にずれた位置にバーを設けて成ることを特徴とする請求項１記載の生ごみ処理装置。
【請求項６】
右巻螺旋状の撹拌羽根の回転軸の中央位置側の端部及び、回転軸の中央位置側の端部から回転軸の一端方向に進んだ複数の位置から回転軸側にずれた位置にバーを設け、左巻螺旋状の撹拌羽根の回転軸の中央位置側の端部及び、回転軸の中央位置側の端部から回転軸の他端方向に進んだ複数の位置から回転軸側にずれた位置にバーを設けることを特徴とする請求項１又は請求項３記載の生ごみ処理装置。
【発明の詳細な説明】
【０００１】
【発明の属する技術分野】
本発明は、微生物の力を利用して生ごみの分解処理を行う生ごみ処理装置に関するものである。
【０００２】
【従来の技術】
従来から微生物による生ごみの分解作用を利用した生ごみ処理装置が知られている。この生ごみ処理装置は、微生物の分解作用を促進するため、空気を供給し、且つバイオチップと生ごみの混合性を良くすることが求められている。このため、従来にあっては、バイオチップと称する木質細片のような担体と生ごみを撹拌しており、この撹拌手段として、回転軸１に螺旋状をした撹拌羽根２を形成したものが特開平８−８４９８０号公報などにより知られている。この特開平８−８４９８０号公報に示された撹拌羽根は、図９に示すように、処理槽４内に回転自在に架設した回転軸１が螺旋状をした撹拌羽根２の中心軸となっており、回転軸１と撹拌羽根２とは連結用羽根板９により連結してあり、更に、撹拌羽根２は、回転軸１の一端側から中央位置に向けて右巻螺旋状をした片側の撹拌羽根２ａと、回転軸１の他端側から中央位置に向けて左巻螺旋状をした他の片側の撹拌羽根２ｂとの２つの分離された撹拌羽根２により構成してある。そして、撹拌羽根２は回転軸１が回転すると、右、左の螺旋巻の作用で、バイオチップが処理槽４両側面から中央部に集まり、そこで、処理槽４内面に沿って上昇し、両側面に分散する働きにより空気を供給し且つ生ごみとバイオチップとの混合を行っている。
【０００３】
上記のように、撹拌により中央部にバイオチップが集まり、処理槽４に沿って上昇し、循環しているが中央部にほとんどのバイオチップがある状態であり、空気の供給性が良くないという問題があり、また、撹拌により中央部にバイオチップ及び生ごみが集まるが、撹拌羽根が届かない部分があり、十分な混合がなされないという問題があり、更に、バイオチップの粘性が高い状態で中央部に集まるとその圧力により固まってしまい空気供給ができない状態となってしまうという問題があり、しかもバイオチップが中央部に集まって固まった状態で撹拌すると、撹拌羽根と固まったバイオチップの間の摩擦により撹拌羽根自身が振動し、やがて処理槽に伝わり、処理槽自体が振動を起こしてしまうという問題がある。
【０００４】
【発明が解決しようとする課題】
本発明は上記の点に鑑みてなされたものであり、混合性が良く、また、撹拌羽根の振動の抑制効果があり、また、撹拌羽根全体の剛性を高め、また、回転軸近くのバイオチップも同時に混合でき、バイオチップとの摩擦力を減少してトルクを減らすことができる生ごみ処理装置を提供することを課題とするものである。
【０００５】
【課題を解決するための手段】
上記課題を解決するために本発明に係る生ごみ処理装置は、駆動手段によって回転する撹拌羽根２を内蔵した生ごみ処理装置であって、回転軸１の一端側から中央位置に向けて片側の撹拌羽根２ａを右巻き螺旋状に設けるとともに、回転軸１の他端側から中央位置に向けてもう一方の撹拌羽根２ｂを左巻き螺旋状に設け、右巻螺旋状の片側の撹拌羽根２ａにバー３を設け、左巻螺旋状の他の片側の撹拌羽根２ｂにバー３を設け、右巻螺旋状の撹拌羽根２ａの回転軸１の中央位置側の端部にバー３を設けるとともに、左巻螺旋状の撹拌羽根２ｂの回転軸１の中央位置側の端部にバー３を設けて成ることを特徴とするものである。このような構成とすることで、右巻螺旋状の撹拌羽根２ａと左巻螺旋状の撹拌羽根２ｂとが回転することによる作用でバイオチップが処理槽４両側面から中央部に集まり、そこで、処理槽４内面に沿って上昇し、両側面に分散する働きにより空気を供給し且つ生ごみとバイオチップとの混合を行うに当たり、バー３により中央部に集まろうとするほとんどのバイオチップが持ち上げられ撹拌羽根２の最高点でそれが落ちて分散することになる。
【０００６】
そして、右巻螺旋状の撹拌羽根２ａの回転軸１の中央位置側の端部にバー３を設けるとともに、左巻螺旋状の撹拌羽根２ｂの回転軸１の中央位置側の端部にバー３を設けたことで、固まりやすい状態でバイオチップが中央部に集まっても、それ自身をバーによって持ち上げて上昇させ、撹拌羽根２の最高点で落ちて分散するため、効果的に酸素を供給することができる。また、固まったバイオチップと撹拌羽根２との摩擦による振動もバー３により固まった部分が羽根と同時に持ち上がるため振動が抑制されるものである。
【０００７】
また、右巻螺旋状の撹拌羽根２ａの回転軸１の中央位置側の端部から左巻螺旋状の撹拌羽根２ｂまでバー３を設けるとともに、左巻螺旋状の撹拌羽根２ｂの回転軸１の中央位置側の端部から右巻螺旋状の撹拌羽根２ａまでバー３を設けることが好ましい。このような構成とすることで、撹拌羽根２全体としての剛性を高めることができる。
【０００８】
また、右巻螺旋状の撹拌羽根２ａの回転軸１の中央位置側の端部及び、回転軸１の中央位置側の端部から回転軸１の一端方向に進んだ複数の位置にバー３を設け、左巻螺旋状の撹拌羽根２ｂの回転軸１の中央位置側の端部及び、回転軸１の中央位置側の端部から回転軸１の他端方向に進んだ複数の位置にバー３を設けることが好ましい。このような構成とすることで、処理槽４中央部のみでなく、全体としての混合性が良くなるものである。
【０００９】
また、右巻螺旋状の撹拌羽根２ａの回転軸１の中央位置側の端部及び、回転軸１の中央位置側の端部から回転軸１の一端方向に進んだ複数の位置にバー３を設け、右巻螺旋状の撹拌羽根２ａに設けられた複数のバー３の回転軸１と平行な延長線上の左巻螺旋状の撹拌羽根２ｂ位置にそれぞれ複数のバー３を設けることが好ましい。このような構成とすることで、両側の対となったバー３でバイオチップを同時に持ち上げることができることになる。
【００１０】
また、右巻螺旋状の撹拌羽根２ａの回転軸１の中央位置側の端部から回転軸１側にずれた位置にバー３を設け、左巻螺旋状の撹拌羽根２ｂの回転軸１の中央位置側の端部から回転軸１側にずれた位置にバー３を設けることが好ましい。このような構成とすることで、回転軸１付近のバイオチップも同時に持ち上げることができるものである。
【００１１】
また、右巻螺旋状の撹拌羽根２ａの回転軸１の中央位置側の端部及び、回転軸１の中央位置側の端部から回転軸１の一端方向に進んだ複数の位置から回転軸１側にずれた位置にバー３を設け、左巻螺旋状の撹拌羽根２ｂの回転軸１の中央位置側の端部及び、回転軸１の中央位置側の端部から回転軸１の他端方向に進んだ複数の位置から回転軸１側にずれた位置にバー３を設けることが好ましい。このような構成とすることで、回転軸１付近のバイオチップを回転軸１に沿った複数箇所において持ち上げることができる。
【００１２】
【発明の実施の形態】
以下、本発明を添付図面に示す実施形態に基づいて説明する。
【００１３】
生ごみを処理する処理槽４内には撹拌羽根２が内蔵してあり、この撹拌羽根２は回転軸１をモータのような駆動手段（図示せず）により回転することで処理槽４内において回転するようになっている。
【００１４】
撹拌羽根２は図１に示すように螺旋状をしており、処理槽４内に回転自在に架設した回転軸１が上記螺旋状をした撹拌羽根２の中心軸となっており、回転軸１と撹拌羽根２とは連結用羽根板９により連結してある。そして、本発明において撹拌羽根２は、回転軸１の一端側から中央位置に向けて右巻螺旋状をした片側の撹拌羽根２ａと、回転軸１の他端側から中央位置に向けて左巻螺旋状をした他の片側の撹拌羽根２ｂとの２つの分離された撹拌羽根２により構成してある。
【００１５】
そして、本発明においては、上記のように右巻螺旋状の撹拌羽根２ａと左巻螺旋状の撹拌羽根２ｂを設けたものにおいて、右巻螺旋状の片側の撹拌羽根２ａにバー３を設け、左巻螺旋状の他の片側の撹拌羽根２ｂにバー３を設けた構成としてある。図１に示す本実施形態においては右巻螺旋状の撹拌羽根２ａ及び左巻螺旋状の撹拌羽根２ｂからそれぞれ回転軸１と略平行にバー３を設けてある例が示してあるが、回転軸１に対してバー３が傾斜するように設けてもよいものである。
【００１６】
処理槽４内にはバイオチップと称する木質細片のような担体が充填してあり、処理槽４内に生ごみを投入し、バイオチップに生息している微生物の働きで生ごみを分解処理するものである。この場合、撹拌羽根２を回転して生ごみとバイオチップとを撹拌混合することで、生ごみをバイオチップ内に分散すると共にバイオチップに生息する微生物に酸素を供給して生ごみを効果的に分解するようになっている。
【００１７】
しかして、上記のように右巻螺旋状の撹拌羽根２ａと左巻螺旋状の撹拌羽根２ｂを設けることで、回転軸１を回転すると右巻螺旋状の撹拌羽根２ａと左巻螺旋状の撹拌羽根２ｂの作用でバイオチップが処理槽４両側面から中央部に集まり、そこで、処理槽４内面に沿って上昇し、両側面に分散する働きにより空気を供給し且つ生ごみとバイオチップとの混合を行うのであるが、上記の作用中にバー３により中央部に集まろうとするほとんどのバイオチップが持ち上げられ撹拌羽根２の最高点でそれが落ちて分散されることになり、効果的に混合され且つ効果的に空気が供給されるものである。
【００１８】
ここで、図１に示す本実施形態のように右巻螺旋状の撹拌羽根２ａの回転軸１の中央位置側の端部にバー３を設けるとともに、左巻螺旋状の撹拌羽根２ｂの回転軸１の中央位置側の端部にバー３を設けると、固まりやすい状態でバイオチップが中央部に集まっても、中央部において固まりやすい状態のままバー３によって持ち上げて上昇させ、撹拌羽根２の最高点で落ちるため固まりやすい状態のバイオチップ又は固まったバイオチップが効果的に分散し、これにより、バイオチップに効果的に酸素を供給することができるものである。また、固まったバイオチップと撹拌羽根２との摩擦による振動もバー３により固まった部分が撹拌羽根２と同時に持ち上がるため振動の抑制効果がある。
【００１９】
図２には本発明の他の実施形態が示してある。本実施形態においては、右巻螺旋状の撹拌羽根２ａの回転軸１の中央位置側の端部にバー３を設けるとともに、左巻螺旋状の撹拌羽根２ｂの回転軸１の中央位置側の端部にバー３を設けることは上記図１に示す実施形態と同様であるが、本実施形態においては、右巻螺旋状の撹拌羽根２ａの回転軸１の中央位置側の端部に設けたバー３を左巻螺旋状の撹拌羽根２ｂまで至らせて該バー３の先端部を左巻螺旋状の撹拌羽根２ｂに固着し、また、左巻螺旋状の撹拌羽根２ｂの回転軸１の中央位置側の端部に設けたバー３を右巻螺旋状の撹拌羽根２ａまで至らせて該バー３の先端部を右巻螺旋状の撹拌羽根２ａに固着した構成となっている。このように右巻螺旋状の撹拌羽根２ａの回転軸１の中央位置側の端部から左巻螺旋状の撹拌羽根２ｂまでバー３を設けるとともに、左巻螺旋状の撹拌羽根２ｂの回転軸１の中央位置側の端部から右巻螺旋状の撹拌羽根２ａまでバー３を設けることで、図１に示す実施形態と同じ作用効果を有することに加え、撹拌羽根２全体としての剛性を高めることができるものである。
【００２０】
また、図３には本発明の更に他の実施形態が示してある。本実施形態においては、右巻螺旋状の撹拌羽根２ａの回転軸１の中央位置側の端部及び、回転軸１の中央位置側の端部から回転軸１の一端方向に進んだ複数の位置にバー３を設けてあり、また、左巻螺旋状の撹拌羽根２ｂの回転軸１の中央位置側の端部及び、回転軸１の中央位置側の端部から回転軸１の他端方向に進んだ複数の位置にバー３を設けてある。本実施形態においては、図１に示す実施形態と同様の処理槽４中央部におけるバー３による混合性の向上のみでなく、処理槽４全体としての混合性が良くなるものである。
【００２１】
また、図４には本発明の更に他の実施形態が示してある。本実施形態においては、右巻螺旋状の撹拌羽根２ａの回転軸１の中央位置側の端部及び、回転軸１の中央位置側の端部から回転軸１の一端方向に進んだ複数の位置にバー３を設けてあり、上記右巻螺旋状の撹拌羽根２ａに設けられた複数のバー３の回転軸１と平行な延長線上の左巻螺旋状の撹拌羽根２ｂ位置にそれぞれ複数のバー３が設けてある。このように、右巻螺旋状の撹拌羽根２ａと左巻螺旋状の撹拌羽根２ｂとの対向する位置にそれぞれ対となるようにバー３を設けることで、両側の対となったバー３でバイオチップを同時に持ち上げることができて処理槽４内の両側においてそれぞれ同時にバランス良くバイオチップを対となったバー３で持ち上げて分散することができて、全体的に効果的な混合ができるものである。
【００２２】
なお、図４では右巻螺旋状の撹拌羽根２ａに設けたバー３ａの回転軸１と平行な延長線上の左巻螺旋状の撹拌羽根２ｂ位置にバー３ａ’が位置し、右巻螺旋状の撹拌羽根２ａに設けたバー３ｂの回転軸１と平行な延長線上の左巻螺旋状の撹拌羽根２ｂ位置にバー３ｂ’が位置してそれぞれ対となっいて、右巻螺旋状の撹拌羽根２ａに設けたバー３ｃと左巻螺旋状の撹拌羽根２ｂに設けたバー３ｃ’、及び右巻螺旋状の撹拌羽根２ａに設けたバー３ｄと左巻螺旋状の撹拌羽根２ｂに設けたバー３ｄ’はそれぞれ回転軸１と平行な延長線上に位置せずに対となっていないが、右巻螺旋状の撹拌羽根２ａに設けたバー３ｃの回転軸１と平行な延長線上の左巻螺旋状の撹拌羽根２ｂ位置にバー３ｃ’を位置させ、また右巻螺旋状の撹拌羽根２ａに設けたバー３ｄの回転軸１と平行な延長線上の左巻螺旋状の撹拌羽根２ｂ位置にバー３ｄ’を位置させてそれぞれ対となるようにしてもよいものである。
【００２３】
また、図５には本発明の更に他の実施形態が示してある。本実施形態においては、右巻螺旋状の撹拌羽根２ａの回転軸１の中央位置側の端部から回転軸１側にずれた位置にバー３を設けてあり、また、左巻螺旋状の撹拌羽根２ｂの回転軸１の中央位置側の端部から回転軸１側にずれた位置にバー３を設けてある。すなわち、回転軸１の中央位置と右巻螺旋状の撹拌羽根２ａとを連結する連結用羽根板９からバー３が設けてあり、また、回転軸１の中央位置と左巻螺旋状の撹拌羽根２ｂとを連結する連結用羽根板９からバー３が設けてある。このように、右巻螺旋状の撹拌羽根２ａの回転軸１の中央位置側の端部から回転軸１側にずれた位置にバー３を設けると共に、左巻螺旋状の撹拌羽根２ｂの回転軸１の中央位置側の端部から回転軸１側にずれた位置にバー３を設けることで、回転軸１の中央部付近のバイオチップも同時に持ち上げることができるものである。
【００２４】
また、図６には本発明の更に他の実施形態が示してある。本実施形態においては、右巻螺旋状の撹拌羽根２ａの回転軸１の中央位置側の端部及び、回転軸１の中央位置側の端部から回転軸１の一端方向に進んだ複数の位置から回転軸１側に向けてバー３を突出してあり、また、左巻螺旋状の撹拌羽根２ｂの回転軸１の中央位置側の端部及び、回転軸１の中央位置側の端部から回転軸１の他端方向に進んだ複数の位置から回転軸１側に向けてバー３を突出してある。すなわち、回転軸１と右巻螺旋状の撹拌羽根２ａとを連結する連結用羽根板９及び右巻螺旋状の撹拌羽根２ａより回転軸１側に突出した片持羽根板１０からそれぞれバー３が設けてあり、また、回転軸１の中央位置と左巻螺旋状の撹拌羽根２ｂとを連結する複数の連結用羽根板９及び左巻螺旋状の撹拌羽根２ｂより回転軸１側に突出した片持羽根板１０からそれぞれバー３が設けてある。このような構成とすることで、回転軸１付近のバイオチップを回転軸１に沿った複数箇所において持ち上げて効果的に混合できるものである。
【００２５】
また、上記したいずれの実施形態においても、図７に示すように、螺旋状をした撹拌羽根２の処理槽４内面側の端部（つまり螺旋状をした撹拌羽根２の外周縁部）を鋭利な刃形状として刃部１１を形成することが好ましい。このように螺旋状をした撹拌羽根２の処理槽４内面側の端部に刃部１１を形成することで、撹拌羽根２と処理槽４内面間のバイオチップとの摩擦力を減少することができて、トルクを減らすことができるものである。
【００２６】
また、上記したいずれの実施形態においても、図８に示すように、螺旋状をした撹拌羽根２の処理槽４内面側の端部（つまり螺旋状をした撹拌羽根２の外周縁部）に穴又は切欠部６を設けることが好ましい。このように撹拌羽根２の処理槽４内面側の端部に穴又は切欠部６を設けることで、処理槽４中央部にあるバイオチップの一部が穴又は切欠部６から通り抜けて効果的に混合することができるものである。
【００２７】
【発明の効果】
上記のように本発明の請求項１記載の発明にあっては、駆動手段によって回転する撹拌羽根を内蔵した生ごみ処理装置であって、回転軸の一端側から中央位置に向けて片側の撹拌羽根を右巻き螺旋状に設けるとともに、回転軸の他端側から中央位置に向けてもう一方の撹拌羽根を左巻き螺旋状に設け、右巻螺旋状の片側の撹拌羽根にバーを設け、左巻螺旋状の他の片側の撹拌羽根にバーを設け、右巻螺旋状の撹拌羽根の回転軸の中央位置側の端部にバーを設けるとともに、左巻螺旋状の撹拌羽根の回転軸の中央位置側の端部にバーを設けてあるので、右巻螺旋状の撹拌羽根と左巻螺旋状の撹拌羽根とが回転することによる作用でバイオチップが処理槽両側面から中央部に集まり、そこで、処理槽内面に沿って上昇し、両側面に分散する働きにより空気を供給し且つ生ごみとバイオチップとの混合を行うにあたり、バーにより中央部集まろうとするほとんどのバイオチップが持ち上げられ撹拌羽根の最高点でそれが落ちて分散することができ、バイオチップの混合が効果的にできるとともに酸素を効果的に供給できるものである。
【００２８】
そして、右巻螺旋状の撹拌羽根の回転軸の中央位置側の端部にバーを設けるとともに、左巻螺旋状の撹拌羽根の回転軸の中央位置側の端部にバーを設けてあるので、固まりやすい状態でバイオチップが中央部に集まっても、それ自身をバーによって持ち上げて上昇させ、撹拌羽根の最高点で落ちて分散するため、効果的に酸素を供給することができるものであり、また、固まったバイオチップと撹拌羽根との摩擦による振動も固まった部分と羽根が同時に持ち上がるため振動の抑制効果がある。
【００２９】
また、請求項２記載の発明にあっては、上記請求項１記載の発明の効果に加えて、右巻螺旋状の撹拌羽根の回転軸の中央位置側の端部から左巻螺旋状の撹拌羽根までバーを設けるとともに、左巻螺旋状の撹拌羽根の回転軸の中央位置側の端部から右巻螺旋状の撹拌羽根までバーを設けてあるので、撹拌羽根全体としての剛性を高めることができて、さらなる振動の抑制効果がある。
【００３０】
また、請求項３記載の発明にあっては、上記請求項１記載の発明の効果に加えて、右巻螺旋状の撹拌羽根の回転軸の中央位置側の端部及び、回転軸の中央位置側の端部から回転軸の一端方向に進んだ複数の位置にバーを設け、左巻螺旋状の撹拌羽根の回転軸の中央位置側の端部及び、回転軸の中央位置側の端部から回転軸の他端方向に進んだ複数の位置にバーを設けてあるので、処理槽中央部のみでなく、全体としての混合性が良くなり、より効果的な混合ができるものである。
【００３１】
また、請求項４記載の発明にあっては、上記請求項１記載記載の発明の効果に加えて、右巻螺旋状の撹拌羽根の回転軸の中央位置側の端部及び、回転軸の中央位置側の端部から回転軸の一端方向に進んだ複数の位置にバーを設け、右巻螺旋状の撹拌羽根に設けられた複数のバーの回転軸と平行な延長線上の左巻螺旋状の撹拌羽根位置にそれぞれ複数のバーを設けてあるので、両側の対となったバーでバイオチップを同時に持ち上げることができて処理槽内の両側においてそれぞれ同時にバランス良くバイオチップを対となったバーで持ち上げて分散することができて、全体的に効果的な混合ができるものである。
【００３２】
また、請求項５記載の発明にあっては、上記請求項１記載の発明の効果に加えて、右巻螺旋状の撹拌羽根の回転軸の中央位置側の端部から回転軸側にずれた位置にバーを設け、左巻螺旋状の撹拌羽根の回転軸の中央位置側の端部から回転軸側にずれた位置にバーを設けてあるので、回転軸付近のバイオチップも同時に持ち上げて混合することができて、より効果的にバイオチップの混合ができるものである。
【００３３】
また、請求項６記載の発明にあっては、上記請求項１又は請求項３記載記載の発明の効果に加えて、右巻螺旋状の撹拌羽根の回転軸の中央位置側の端部及び、回転軸の中央位置側の端部から回転軸の一端方向に進んだ複数の位置から回転軸側にずれた位置にバーを設け、左巻螺旋状の撹拌羽根の回転軸の中央位置側の端部及び、回転軸の中央位置側の端部から回転軸の他端方向に進んだ複数の位置から回転軸側にずれた位置にバーを設けてあるので、回転軸付近のバイオチップを回転軸に沿った複数箇所において持ち上げて混合することができて、全体としてより効果的にバイオチップの混合ができるものである。
【図面の簡単な説明】
【図１】本発明の撹拌翼を示す一実施形態の斜視図である。
【図２】同上の撹拌翼を示す他の実施形態の斜視図である。
【図３】同上の撹拌翼を示す更に他の実施形態の斜視図である。
【図４】同上の撹拌翼を示す更に他の実施形態の斜視図である。
【図５】同上の撹拌翼を示す更に他の実施形態の斜視図である。
【図６】同上の撹拌翼を示す更に他の実施形態の斜視図である。
【図７】  同上の螺旋状をした撹拌羽根の処理槽内面側の端部を鋭利な刃形状として刃部を形成した例を示す斜視図である。
【図８】  螺旋状をした撹拌羽根の処理槽内面側の端部に穴又は切欠部を設けた例を示す斜視図である。
【図９】  従来例の斜視図である。
【符号の説明】
１  回転軸
２  撹拌羽根
２ａ  右巻螺旋状の撹拌羽根
２ｂ  左巻螺旋状の撹拌羽根
３  バー
４  処理槽
５  突起
６  切欠部
【図１】
0003562384.tif 000002
【図２】
0003562384.tif 000003
【図３】
0003562384.tif 000004
【図４】
0003562384.tif 000005
【図５】
0003562384.tif 000006
【図６】
0003562384.tif 000007
【図７】
0003562384.tif 000008
【図８】
0003562384.tif 000009
【図９】
0003562384.tif 000010